(57)【要約】      （修正有）【課題】バッテリーとの電気的連接時に、瞬間的に電源が切れる状況の発生を確実に防止可能な電気コネクターとその接触端子を提供する。【解決手段】電気コネクターは絶縁本体１を備え、絶縁本体１の前端外部には遮蔽殻体３を被せ、絶縁本体１の前端には複数の端子収容槽１３を開設し、複数の端子２は対応する端子収容槽１３内にそれぞれ収容され、各接触端子２は端子収容槽１３内に収容され、しかも弾性を備える本体部２１を備え、本体部２１の前端は湾曲して延伸し、端子収容槽１３外に突出する接触部２２を設置し、接触部２２の中央位置は横方向に開槽２２５を開設し、これにより接触部２２は上下ダブル接触点を形成し、本体部２１後端の底側部は湾曲して溶接部２３を延伸する。【選択図】図２
0003151613.tif 000002
【実用新案登録請求の範囲】
【請求項１】
絶縁本体、遮蔽殻体を備え、
前記絶縁本体は、内部に複数の端子収容槽を形成し、複数の接触端子は、前記絶縁本体上に設置する端子収容槽内にそれぞれ収容され、前記各接触端子は、それぞれ本体部を備え、前記本体部の前端は、湾曲して延伸し、接触部を形成し、前記接触部の中央部位置には、横方向に開槽を開設し、これにより接触部は、上下ダブル接触点を形成し、前記本体部後端の片側は、水平に湾曲して延伸し溶接部を形成し、
前記遮蔽殻体は、前記絶縁本体上に嵌めて設置することを特徴とする電気コネクター。
【請求項２】
請求項１記載の電気コネクターにおいて、前記絶縁本体は、矩形体を停止、その底面は空間状で、前記絶縁本体は、後台体部を形成し、前記後台体部の前端は突出状の前台体部で、前記前台体部の大きさは前記後台体部より小さく、前記前台体部の周囲には収容空間を形成し、これにより前記遮蔽殻体を収納することができ、
前記絶縁本体内には、複数の端子収容槽を区画する隔絶柱を設置することを特徴とする電気コネクター。
【請求項３】
請求項２記載の電気コネクターにおいて、前記隔絶本体は、前記各端子収容槽の後台体部の頂点面に、嵌槽をそれぞれ設置し、
前記接触端子の本体部後端の頂点側は、上方へと延伸して、嵌部を設置し、前記嵌槽中に嵌合することを特徴とする電気コネクター。
【請求項４】
請求項２記載の電気コネクターにおいて、前記絶縁本体の前台体部の両側側壁は、内側へとへこみ係合槽を設置し、
前記遮蔽殻体両側の側板部上の、後端に近い位置は、内側へと係合板をプレス設置し、前記絶縁本体上の係合槽中に係合することを特徴とする電気コネクター。
【請求項５】
請求項２記載の電気コネクターにおいて、前記絶縁本体は、前記前台体部の底面位置に、下方へと陥没した収容設置空間を設置し、底蓋板を収容設置し、しかも前記収容設置空間の隔絶柱上には穿孔を設置し、１本の隔絶柱の末端は、前記収容設置空間位置に向かい、突出状のフールプルーフブロックを設置し、
前記底蓋板は、前記隔絶柱の穿孔に対応して係合柱を設置し、前記隔絶柱のフールプルーフブロックに対応してフールプルーフ槽を設置することを特徴とする電気コネクター。
【請求項６】
請求項１記載の電気コネクターにおいて、前記接触端子の接触部は、前記本体部と連接し、真っ直ぐに延伸する第一連接部を備え、前記第一連接部の末端は、さらに延伸し、半円形を呈する湾曲部を形成し、前記湾曲部の末端は、さらに後方へと延伸し、第二連接部を形成し、前記第二連接部の末端は、水平に外へと延伸し、接触停止部を形成し、
前記絶縁本体は、前記端子収容槽の側壁上に、前記接触停止部と相互に対応する接触定位壁を延伸して設置し、
前記接触部の外側表面には、突出包を形成することを特徴とする電気コネクター。
【請求項７】
請求項１記載の電気コネクターにおいて、前記接触端子の溶接部は、細長い形状を呈し、しかもその両端は同一側へと延伸して平置部を設置することを特徴とする電気コネクター。
【請求項８】
請求項１記載の電気コネクターにおいて、前記遮蔽殻体は、矩形の箱体を呈し、頂点板部、前記頂点板部と相対する底板部、前記頂点板部と前記底板部両側に連接する側板部を備え、前記頂点板部後端の中央に近い位置は、内側へとへこみ、嵌合槽を設置し、前記両側の側板部上の前端に近い位置には、接触ピン柱を下方へとプレス設置し、
前記絶縁本体は、前記遮蔽殻体に設置する嵌合槽に対応して、嵌合ブロックを設置することを特徴とする電気コネクター。
【請求項９】
電気コネクターの接触端子は、本体部を備え、
前記本体部は、弾性を備え、かつS字型に湾曲して延伸し、前記本体部の前端は湾曲して接触部を延伸し、前記接触部の中央位置には、横方向に開槽を開設し、これにより前記接触部は、上接触部と下接触部のダブル接触点を形成し、前記本体部の後端の片側は、水平に湾曲して溶接部を延伸することを特徴とする電気コネクターの接触端子。
【請求項１０】
請求項９記載の電気コネクターの接触端子において、前記接触端子の本体部は、弾性を備え、かつS字型に湾曲して延伸し、前記本体部後端の頂点側は、上方へと延伸し嵌部を設置し、前記本体部後端の底側は、水平に湾曲して溶接部を延伸することを特徴とする電気コネクターの接触端子。
【請求項１１】
請求項９記載の電気コネクターの接触端子において、前記接触部は、前記本体部と連接し、真っ直ぐに延伸する第一連接部を備え、前記第一連接部の末端は、さらに延伸し半円形を呈する湾曲部を形成し、前記湾曲部の末端は、さらに後方へと延伸し、第二連接部を形成し、前記第二連接部の末端は、外へと水平に延伸し接触停止部を形成し、前記接触部の外側表面には、突出包を形成することを特徴とする電気コネクターの接触端子。
【請求項１２】
請求項９或いは請求項１０記載の電気コネクターの接触端子において、前記接触端子の溶接部は、細長い形状を呈し、しかもその両端は同一側へと延伸して平置部を設置することを特徴とする電気コネクターの接触端子。
【考案の詳細な説明】
【技術分野】
【０００１】
本考案は電気コネクターに関し、特にダブル接触機能を備える電気コネクターとその接触端子に関する。
【背景技術】
【０００２】
IT産業の急速な発展に従い、デジタルビデオカメラ、PDA、携帯電話など携帯式電子装置は、日常生活に大きな地位を占めている。このため、これに合わせて、各種の電気コネクターも出現しており、特にバッテリーコネクターは、各種通信設備にとってなくてはならないものとなっている。
【０００３】
一般に、バッテリーコネクターは、絶縁本体と複数の導電端子を備える。該絶縁本体上には、複数の収容槽を開設し、該導電端子は、溶接部と接触部を備える。該各導電端子は、該絶縁本体の収容槽内に対応して設置され、該導電端子の溶接部は、印刷回路板上に溶接され、接触部とバッテリーは電気的に連接し、こうしてバッテリーは民生用電子製品に作業電源を提供することができる。
【０００４】
しかし、これら民生用電子製品は、恒常的に振動を受ける環境において使用するため、バッテリーと導電端子の接触不良或いは瞬間的に電源が切れる状況がしばしば発生する。さらに、バッテリーが蓄えられる電源には限界があるため、バッテリーを交換し、民生用電子製品の正常な使用を確保しなければならないが、バッテリーの交換時に、バッテリーとバッテリーコネクターとの間の作用力は、導電端子と印刷回路板との間の溶接を緩ませる可能性があり、これによって、バッテリーコネクターと印刷回路板との間の連接が不安定となってしまう。
【考案の概要】
【考案が解決しようとする課題】
【０００５】
本考案の第一目的は、ダブル接触点設計を備え、接触と導電において、瞬間的に電源が切れる状況の発生を確実に防止可能な電気コネクターを提供することである。
本考案の第二目的は、ダブル接触点設計を備え、接触と導電において、瞬間的に電源が切れる状況の発生を確実に防止可能な電気コネクターの接触端子を提供することである。
【課題を解決するための手段】
【０００６】
上記目的を解決するため、本考案は下記の電気コネクターとその接触端子を提供する。
電気コネクターは、絶縁本体、複数の接触端子、遮蔽殻体を備え、
該絶縁本体の前端外部には、遮蔽殻体を被せ、該絶縁本体の前端には複数の端子収容槽を開設し、該複数の接触端子は対応する収容槽内にそれぞれ収容され、
該各接触端子は、収容槽内にそれぞれ収容され、しかも弾性を備える本体部を備え、該本体部の前端は、湾曲して延伸し、該収容槽外に突出する接触部を備え、該接触部の中央位置は横方向に開槽を開設し、これにより該接触部は上下ダブル接触点を形成し、該本体部後端の底側部は湾曲して溶接部を延伸し、
該溶接部は、該収容槽両側の側壁の頂点面表面上に設置し、
該本体部後端の頂点側には、上方へと延伸して、該絶縁本体上に嵌める嵌槽を設置し、
電気コネクターの接触端子は、弾性を備え、かつS字型に湾曲して延伸する本体部を備え、該本体部の前端は湾曲して接触部を延伸し、該接触部は、該本体部と連接し、真っ直ぐに延伸する第一連接部を備え、該第一連接部の末端は、さらに延伸し、半円形を呈する湾曲部を形成し、該湾曲部の末端は、さらに後方へと延伸し、第二連接部を形成し、該第二連接部の末端は、水平に外へと延伸し、接触停止部を形成し、
該接触部の中央位置には、横方向に開槽を開設し、これにより該接触部は、上下ダブル接触点を形成し、
該本体部の後端の底側は、水平に湾曲して溶接部を延伸し、該溶接部の両端は、同一側へと延伸し、平置部を設置し、該本体部後端の頂点面は、上方へと延伸して嵌部を設置する。
【考案の効果】
【０００７】
本考案電気コネクターとその接触端子は、上下ダブル接触点設計を備えるため、バッテリーとの電気的連接時に、瞬間的に電源が切れる状況の発生を確実に防止可能である。
【図面の簡単な説明】
【０００８】
【図１】本考案電気コネクターの立体図である。
【図２】本考案電気コネクターの立体分解図である。
【図３】図２に示す絶縁本体の別の角度からの立体図である。
【図４】図２に示す接触端子の別の角度からの立体図である。
【図５】本考案電気コネクターの別の角度からの立体図である。
【考案を実施するための形態】
【０００９】
図１、２に示すように、本考案の電気コネクター１００は、絶縁本体１、複数の接触端子２、遮蔽殻体３、底蓋板４を備える。
図２、３に示すように、絶縁本体１は矩形体で、その底面は開放状を呈する。絶縁本体１は、後台体部１１を形成し、後台体部１１の前端には、前台体部１２を突出して設置する。前台体部１２の大きさは、後台体部１１より小さく、こうして前台体部１２外周には収納空間１２０を形成し、これにより遮蔽殻体３を収納する。後台体部１１頂点面の中央部には、前方へと突出し嵌合ブロック１１１を設置する。絶縁本体１内には、接触端子２の収容に用いる複数の端子収容槽１３を形成し、各端子収容槽１３に対応する後台体部１１の頂点面位置には、それぞれ嵌合槽１１２を設置する。絶縁本体１の前台体部１２両側の側壁上には、係合槽１２１を陥没させ設置する。絶縁本体１内には、複数の端子収容槽１３を隔絶する隔絶柱１４を設置する。
【００１０】
本考案において、絶縁本体１は、前台体部１２の底面において、下向きに陥没し収容設置空間１２２を設置し、これにより底蓋板４を収容設置する。しかも、収容設置空間１２２の隔絶柱１４上には、穿孔１４１を設置し、１本の隔絶柱１４の末端は、収容設置空間１２２に向かい、突出状のフールプルーフブロック１４２を設置する。また、収容設置空間１２２の隔絶柱１４上の前端に近い位置は、片側へと延伸し、接触定位壁１４３を形成する。底蓋板４は、隔絶柱１４の穿孔１４１に対応し、係合柱４１を設置し、隔絶柱１４のフールプルーフブロック１４２に対応し、フールプルーフ槽４２を設置する。
【００１１】
図２、４に示すように、本考案が設置する複数の接触端子２は、絶縁本体１に設置する端子収容槽１３内にそれぞれ収容される。各接触端子２は、弾性を備え、しかもS字型に湾曲して延伸する本体部２１を備える。本体部２１の前端は、湾曲して延伸し、接触部２２を形成する。接触部２２は、本体部２１と連接し、しかも真っ直ぐに延伸する第一連接部２２１を備える。第一連接部２２１の末端は、さらに延伸し半円形の湾曲部２２２を形成する。湾曲部２２２の末端は、後方へと延伸し、第二連接部２２３を形成する。第二連接部２２３の末端は、水平に外へと延伸し、接触停止部２２４を形成する。
接触部２２の中部には、横方向に開槽２２５を開設し、これにより接触部２２は上下双方向の接触点を形成する。接触部２２の外側表面には、突出包２２６を形成する。さらに、本体部２１後端の底側は、水平に湾曲して延伸し、溶接部２３を形成する。溶接部２３は、細長い形状を呈し、しかもその両端は、同一側へと延伸し、平置部２３１を設置し、これにより、溶接部２３の溶接面積を拡大する。本体部２１後端の頂点面は、上方へと延伸して嵌部２４を設置する。
【００１２】
図１、２に示すように、本考案の遮蔽殻体３は、矩形を呈する箱体である。遮蔽殻体３は、頂点板部３１、頂点板部３１と相対する底板部３２、頂点板部３１と底板部３２両側に連接する側板部３３を備える。頂点板部３１後端の中央に近い位置は内側へと凹み、絶縁本体１の嵌合ブロック１１１と相互に対応する嵌合槽３１１を設置する。また、両側の側板部３３上の後端に近い位置には、係合板３３１を内側へとプレス設置し、これにより絶縁本体１の係合槽１２１中に嵌合される。両側の側板部３３上の前端に近い位置には、接触ピン柱３４を下方へとプレス設置し、これにより民生用電子製品内の印刷回路板(図示なし)上に嵌めて設置する。
【００１３】
図１、２、５に示すように、本考案の組み立て時には、先ず、各接触端子２を絶縁本体１に設置する各端子収容槽１３内に設置する。これにより、接触端子２の本体部２１後端の嵌部２４は、後台体部１１の嵌合槽１１２中に嵌り、こうして、接触端子２の溶接部２３の平置部２３１は、絶縁本体１の後台体部１１の底面上に設置される。しかも、接触端子２の接触部２２末端に延伸して設置する接触停止部２２４は、隔絶柱１４の接触定位壁１４３に接触して固定される。これにより、接触端子２の本体部２１は、絶縁本体１内に安定的に固定され、接触部２２は端子収容槽１３外に露出する。
【００１４】
さらに、底蓋板４を絶縁本体１の前台体部１２底面の収容設置空間１２２上に被せる。蓋をする時、底蓋板４の係合柱４１は、隔絶柱１４の穿孔１４１に対応し、しかも底蓋板４のフールプルーフ槽４２は、隔絶柱１４のフールプルーフブロック１４２に対応し、これにより底蓋板４は、迅速、便利に絶縁本体１上に設置される。これにより底蓋板４は隔絶作用を備え、接触端子２と遮蔽殻体３の相互接触を防止することができる。最後に、遮蔽殻体３を、絶縁本体１の前台体部１２周囲に設置する収納空間１２０中に嵌めて設置する。収納空間１２０の設置により、遮蔽殻体３を前台体部１２に嵌めても、後台体部１１と同一平面を保持することができる。遮蔽殻体３を嵌めて設置する時には、遮蔽殻体３上の嵌合槽３１１を絶縁本体１の嵌合ブロック１１１に合わせることにより、遮蔽殻体３を非常に便利、かつ迅速に絶縁本体１上に設置することができる。こうして、電気コネクター１００の組み立てを完成する。
【００１５】
民生用電子製品のバッテリー(図示なし)と本考案の電気コネクター１００の接触端子２を、電気的に連接させる時には、本考案の接触端子２の接触部２２は、上下ダブル接触点を形成するため、振動により、バッテリーと接触端子２が偏り、移動しても、接触端子２の接触部２２は、バッテリーとの電気的連接を保持することができる。
【００１６】
本考案の電気コネクター１００の接触端子２は、上下ダブル接触点の設計を備えるため、電気コネクター１００とバッテリーの電気的連接時に電源が瞬間的に切断される状況の発生を、確実に防止可能である。また、本考案の接触端子２の溶接部２３は、細長い形状を呈し、しかもその両端は、同一側へと延伸して平置部２３１を形成するため、その溶接面積を拡大することができる。かつ、溶接部２３両端の平置部２３１は、絶縁本体１の後台体部１１の底面上に設置されるため、各接触端子２は、設置において、同一の平面を保持することができる。
【符号の説明】
【００１７】
１００  電気コネクター
１  絶縁本体
１１  後台体部
１１１  嵌合ブロック
１１２  嵌合槽
１２  前台体部
１２０  収納空間
１２１  係合槽
１２２  収容設置空間
１３  端子収容槽
１４  隔絶柱
１４１  穿孔
１４２  フールプルーフブロック
１４３  接触定位壁
２  接触端子
２１  本体部
２２  接触部
２２１  第一連接部
２２２  湾曲部
２２３  第二連接部
２２４  接触停止部
２２５  開槽
２２６  突出包
２３  溶接部
２３１  平置部
２４  嵌部
３  遮蔽殻体
３１  頂点板部
３１１  嵌合槽
３２  底板部
３３  側板部
３３１  係合板
３４  接触ピン柱
４  底蓋板
４１  係合柱
４２  フールプルーフ槽
【図１】
0003151613.tif 000003
【図２】
0003151613.tif 000004
【図３】
0003151613.tif 000005
【図４】
0003151613.tif 000006
【図５】
0003151613.tif 000007
【手続補正書】
【提出日】平成21年4月21日(2009.4.21)
【手続補正１】
【補正対象書類名】実用新案登録請求の範囲
【補正対象項目名】請求項３
【補正方法】変更
【補正の内容】
【請求項３】
請求項２記載の電気コネクターにおいて、前記絶縁本体は、前記各端子収容槽の後台体部の頂点面に、嵌槽をそれぞれ設置し、
前記接触端子の本体部後端の頂点側は、上方へと延伸して、嵌部を設置し、前記嵌槽中に嵌合することを特徴とする電気コネクター。